(57)【要約】【課題】  定期点検やメンテナンス等において転写ロールを交換したり一旦取り外して再び装着するという作業を容易に行なうことができる画像形成装置、および定期点検やメンテナンス等においてロールを交換したり一旦取り外して再び装着するという作業を容易に行なうことができる軸受部材を提供する。【解決手段】  カラーモードにおいて１次転写ロール２７Ｙを対応する感光体に近づけるとともにモノクロモードにおいて１次転写ロール２７Ｙを対応する感光体から遠ざける、その１次転写ロール２７を接離自在に支持する軸受部材４０を構成するリンク４４部が、駆動源からの駆動を受けて回動し、１次転写ロール２７Ｙの軸２７Ｙａを支持する軸受部４３をモノクロモードに対応する第２の位置Ｐ２に移動させた状態において、軸受部４３から１次転写ロール２７Ｙの軸２７Ｙａが抜き取られた場合に軸受部３の受け部４３ａにリンク部４４の係合部４４ａが係合して軸受部４３を第２の位置Ｐ２に留める。【選択図】        図３
2006084689.tif 000002
【特許請求の範囲】
【請求項１】
複数の感光体を備え各感光体上に静電潜像を形成し、各感光体上の静電潜像を、各感光体に応じた、黒色トナーを含む各色トナーで現像して各色トナー像を形成し、これらの色トナー像を中間転写ベルト上に転写しさらに用紙上に転写して定着することにより該用紙上に定着トナー像からなる画像を形成する画像形成装置において、
この画像形成装置が、前記複数の感光体を用いてカラー画像を形成するカラーモードと前記複数の感光体のうち黒色トナーに対応した第１感光体のみを用いてモノクロ画像を形成するモノクロモードとを有し、
前記複数の感光体それぞれに対応して前記中間転写ベルトの内側に配備され対応する感光体上のトナー像を前記中間転写ベルト上に転写する転写ロールと、
前記転写ロールそれぞれの軸を回転自在に支持する、該転写ロールそれぞれに対応する軸受部材とを備え、
前記複数の感光体のうちの前記第１感光体を除く他の感光体に対応する転写ロールを支持する軸受部材が、前記カラーモードにおいて該転写ロールを対応する感光体に近づけるとともに前記モノクロモードにおいて該転写ロールを対応する感光体から遠ざける、該転写ロールを接離自在に支持する軸受部材であって、
該接離自在に支持する軸受部材が、
ホルダと、
前記ホルダに所定の第１の位置と所定の第２の位置との間でスライド自在に支持するとともに前記第１の位置に向けてバネ付勢された軸受部と、
前記ホルダに回動自在に支持され駆動源からの駆動を受けて回動し、前記軸受部に支持された前記転写ロールの軸を前記バネ付勢に抗して押すことにより、前記軸受部を前記第２の位置に移動させるリンク部とを備え、
前記リンク部が、駆動源からの駆動を受けて回動し前記軸受部を前記第２の位置に移動させた状態において、前記軸受部から前記転写ロールの軸が抜き取られた場合に該軸受部に係合して該軸受部を前記第２の位置に留める係合部を有するものであることを特徴とする画像形成装置。
【請求項２】
複数の感光体を備え各感光体上に静電潜像を形成し、各感光体上の静電潜像を、各感光体に応じた、黒色トナーを含む各色トナーで現像して各色トナー像を形成し、これらの色トナー像を中間転写ベルト上に転写しさらに用紙上に転写して定着することにより該用紙上に定着トナー像からなる画像を形成する画像形成装置において、
この画像形成装置が、前記複数の感光体を用いてカラー画像を形成するカラーモードと前記複数の感光体のうち黒色トナーに対応した第１感光体のみを用いてモノクロ画像を形成するモノクロモードとを有し、
前記複数の感光体それぞれに対応して前記中間転写ベルトの内側に配備され対応する感光体上のトナー像を前記中間転写ベルト上に転写する転写ロールと、
前記転写ロールそれぞれの軸を回転自在に支持する、該転写ロールそれぞれに対応する軸受部材とを備え、
前記複数の感光体のうちの前記第１感光体を除く他の感光体に対応する転写ロールを支持する軸受部材が、前記カラーモードにおいて該転写ロールを対応する感光体に近づけるとともに前記モノクロモードにおいて該転写ロールを対応する感光体から遠ざける、該転写ロールを接離自在に支持する軸受部材であって、
該接離自在に支持する軸受部材が、
ホルダと、
前記ホルダに所定の第１の位置と所定の第２の位置との間でスライド自在に支持するとともに前記第１の位置に向けてバネ付勢された軸受部と、
前記ホルダに回動自在に支持され駆動源からの駆動を受けて回動し、前記軸受部に支持された前記転写ロールの軸を前記バネ付勢に抗して押すことにより、前記軸受部を前記第２の位置に移動させるリンク部とを備え、
前記駆動源がモータであって、該モータの回転軸が該モータの筐体の両側から突出し、一方の突出部が前記リンク部に駆動力を与えるものであることを特徴とする画像形成装置。
【請求項３】
ロールの軸を回転自在に支持する軸受部材において、
ホルダと、
前記ホルダに所定の第１の位置と所定の第２の位置との間でスライド自在に支持するとともに前記第１の位置に向けてバネ付勢された軸受部と、
前記ホルダに回動自在に支持され駆動源からの駆動を受けて回動し、前記軸受部に支持された前記ロールの軸を前記バネ付勢に抗して押すことにより、前記軸受部を前記第２の位置に移動させるリンク部とを備え、
前記リンク部が、駆動源からの駆動を受けて回動し前記軸受部を前記第２の位置に移動させた状態において、前記軸受部から前記ロールの軸が抜き取られた場合に該軸受部に係合して該軸受部を前記第２の位置に留める係合部を有するものであることを特徴とする軸受部材。
【請求項４】
前記係合部は、前記軸受部に前記ロールの軸が支持されている状態においては該軸受部から離れた状態にあるものであることを特徴とする請求項３記載の軸受部材。
【請求項５】
前記軸受部は、バネ付勢された方向の先端部分に開口を有し、前記リンク部は前記軸受部に支持されたロールの軸を該開口側から押すものであることを特徴とする請求項３記載の軸受部材。
【請求項６】
前記リンク部は、前記軸受部に支持されたロールの軸を覆うように広がる異物進入防止部を有するものであることを特徴とする請求項３記載の軸受部材。
【発明の詳細な説明】
【技術分野】
【０００１】
本発明は、複数の感光体を備え各感光体上に形成された静電潜像を、黒色トナーを含む各色トナーで現像し中間転写ベルトを介在させて、用紙上に転写して定着することにより定着トナー像からなる画像を形成する画像形成装置、およびロールの軸を回転自在に支持する軸受部材に関する。
【背景技術】
【０００２】
従来より、複数の感光体を備え各感光体上に静電潜像を形成し、各感光体上の静電潜像を、各感光体に応じた、黒色トナーを含む各色トナーで現像して各色トナー像を形成し、これらの色トナー像を中間転写ベルト上に転写しさらに用紙上に転写して定着することにより、その用紙上に定着トナー像からなる画像を形成する画像形成装置が知られている。このようなカラー画像形成装置には、複数の感光体それぞれに対応して中間転写ベルトの内側に配備され対応する感光体上のトナー像を中間転写ベルト上に転写する転写ロールが備えられている。ここで、転写ロールを中間転写ベルトに対して接離自在に駆動する機構を備えた画像形成装置が提案されている（例えば、特許文献１参照）。この画像形成装置によれば、長期の使用にわたり、中間転写ベルトの弾性が維持されて感光体への転写効率の低下を抑えることができる。
【特許文献１】特開平９―２１１９９９号公報
【発明の開示】
【発明が解決しようとする課題】
【０００３】
一般に、複数の感光体を備え各感光体上に各色のトナー像を中間転写ベルト上に転写する画像形成装置は、複数の感光体を用いてカラー画像を形成するカラーモードと複数の感光体のうち黒色トナーに対応した感光体のみを用いてモノクロ画像を形成するモノクロモードとを有する。ここで、モノクロモードにおいてモノクロ画像を形成する場合、画像形成に関与していない、黒色トナーに対応した感光体を除く残りの感光体が、転写ロールからの押圧を受けて中間転写ベルトに接触している状態のままであると、感光体の磨耗が大きいという問題がある。そこで、モノクロモードにおいては、黒色トナーに対応する転写ロールを除く残りの転写ロールを、それら残りの転写ロールに対応する感光体から遠ざける構造が採用される。転写ロールは、定期点検やメンテナンス等において交換されたり一旦取り外されて再び装着されたりする場合がある。
【０００４】
モノクロモードにおいては、黒色トナーに対応する転写ロールを除く残りの転写ロールは、感光体から離れた離間位置にあるが、モノクロモードにあるときに転写ロールを交換したり一旦取り外して再び装着する場合はカラーモードに移行させればよく、従来はモノクロモードで転写ロールを交換等することは考えられていない。
【０００５】
ところが、モノクロモードにあるときに突然に装置が停止する故障が発生し、その場合に転写ロールを着脱する必要が生じることがある。電源を投入できればカラーモードに戻すのは容易であるが、電源が投入できない故障の場合、モノクロモードにあるときの転写ロールを取り外して再び装着するときの復旧作業が極めて困難である。
【０００６】
本発明は、上記事情に鑑み、定期点検やメンテナンス等において転写ロールを交換したり一旦取り外して再び装着するという作業を容易に行なうことができる画像形成装置、および定期点検やメンテナンス等においてロールを交換したり一旦取り外して再び装着するという作業を容易に行なうことができる軸受部材を提供することを目的とする。
【課題を解決するための手段】
【０００７】
上記目的を解決する本発明の画像形成装置のうちの第１の画像形成装置は、複数の感光体を備え各感光体上に静電潜像を形成し、各感光体上の静電潜像を、各感光体に応じた、黒色トナーを含む各色トナーで現像して各色トナー像を形成し、これらの色トナー像を中間転写ベルト上に転写しさらに用紙上に転写して定着することによりその用紙上に定着トナー像からなる画像を形成する画像形成装置において、
この画像形成装置が、上記複数の感光体を用いてカラー画像を形成するカラーモードと上記複数の感光体のうち黒色トナーに対応した第１感光体のみを用いてモノクロ画像を形成するモノクロモードとを有し、
上記複数の感光体それぞれに対応して上記中間転写ベルトの内側に配備され対応する感光体上のトナー像を上記中間転写ベルト上に転写する転写ロールと、
上記転写ロールそれぞれの軸を回転自在に支持する、その転写ロールそれぞれに対応する軸受部材とを備え、
上記複数の感光体のうちの上記第１感光体を除く他の感光体に対応する転写ロールを支持する軸受部材が、上記カラーモードにおいてその転写ロールを対応する感光体に近づけるとともに上記モノクロモードにおいてその転写ロールを対応する感光体から遠ざける、その転写ロールを接離自在に支持する軸受部材であって、
その接離自在に支持する軸受部材が、
ホルダと、
上記ホルダに所定の第１の位置と所定の第２の位置との間でスライド自在に支持するとともに上記第１の位置に向けてバネ付勢された軸受部と、
上記ホルダに回動自在に支持され駆動源からの駆動を受けて回動し、上記軸受部に支持された上記転写ロールの軸を上記バネ付勢に抗して押すことにより、上記軸受部を上記第２の位置に移動させるリンク部とを備え、
上記リンク部が、駆動源からの駆動を受けて回動し上記軸受部を前記第２の位置に移動させた状態において、上記軸受部から上記転写ロールの軸が抜き取られた場合にその軸受部に係合してその軸受部を上記第２の位置に留める係合部を有するものであることを特徴とする。
【０００８】
本発明の第１の画像形成装置は、カラーモードにおいて転写ロールを対応する感光体に近づけるとともにモノクロモードにおいて転写ロールを対応する感光体から遠ざける、その転写ロールを接離自在に支持する軸受部材を構成するリンク部が、駆動源からの駆動を受けて回動し、転写ロールの軸を支持する軸受部をモノクロモードに対応する第２の位置に移動させた状態において、上記軸受部から上記転写ロールの軸が抜き取られた場合にその軸受部に係合してその軸受部を上記第２の位置に留めるものである。このため、定期点検やメンテナンス等において、モノクロモードにある場合であっても転写ロールを交換したり一旦取り外して再び装着するという作業を容易に行なうことができる。
【０００９】
また、上記目的を達成する本発明の画像形成装置のうちの第２の画像形成装置は、複数の感光体を備え各感光体上に静電潜像を形成し、各感光体上の静電潜像を、各感光体に応じた、黒色トナーを含む各色トナーで現像して各色トナー像を形成し、これらの色トナー像を中間転写ベルト上に転写しさらに用紙上に転写して定着することによりその用紙上に定着トナー像からなる画像を形成する画像形成装置において、
この画像形成装置が、上記複数の感光体を用いてカラー画像を形成するカラーモードと上記複数の感光体のうち黒色トナーに対応した第１感光体のみを用いてモノクロ画像を形成するモノクロモードとを有し、
上記複数の感光体それぞれに対応して上記中間転写ベルトの内側に配備され対応する感光体上のトナー像を上記中間転写ベルト上に転写する転写ロールと、
上記転写ロールそれぞれの軸を回転自在に支持する、その転写ロールそれぞれに対応する軸受部材とを備え、
上記複数の感光体のうちの上記第１感光体を除く他の感光体に対応する転写ロールを支持する軸受部材が、上記カラーモードにおいてその転写ロールを対応する感光体に近づけるとともに上記モノクロモードにおいてその転写ロールを対応する感光体から遠ざける、その転写ロールを接離自在に支持する軸受部材であって、
その接離自在に支持する軸受部材が、
ホルダと、
上記ホルダに所定の第１の位置と所定の第２の位置との間でスライド自在に支持するとともに上記第１の位置に向けてバネ付勢された軸受部と、
上記ホルダに回動自在に支持され駆動源からの駆動を受けて回動し、上記軸受部に支持された上記転写ロールの軸を上記バネ付勢に抗して押すことにより、上記軸受部を上記第２の位置に移動させるリンク部とを備え、
上記駆動源がモータであって、そのモータの回転軸がそのモータの筐体の両側から突出し、一方の突出部が上記リンク部に駆動力を与えるものであることを特徴とする。
【００１０】
本発明の第２の画像形成装置は、カラーモードにおいて転写ロールを対応する感光体に近づけるとともにモノクロモードにおいて転写ロールを対応する感光体から遠ざける、その転写ロールを接離自在に支持する軸受部材を構成するリンク部に、モータの回転軸の一方の突出部で駆動力を与えるものである。このため、例えば手で突出部を回転してリンク部を回動させることにより、転写ロールの軸を支持する軸受部をモノクロモードに対応する第２の位置からカラーモードに対応する第１の位置に移動させることができる。従って、定期点検やメンテナンス等において、モノクロモードにある場合であってもカラーモードの状態にして転写ロールを交換したり一旦取り外して再び装着するという作業を容易に行なうことができる。
【００１１】
また、上記目的を達成する本発明の軸受部材は、ロールの軸を回転自在に支持する軸受部材において、
ホルダと、
上記ホルダに所定の第１の位置と所定の第２の位置との間でスライド自在に支持するとともに上記第１の位置に向けてバネ付勢された軸受部と、
上記ホルダに回動自在に支持され駆動源からの駆動を受けて回動し、上記軸受部に支持された上記ロールの軸を上記バネ付勢に抗して押すことにより、上記軸受部を上記第２の位置に移動させるリンク部とを備え、
上記リンク部が、駆動源からの駆動を受けて回動し上記軸受部を上記第２の位置に移動させた状態において、上記軸受部から上記ロールの軸が抜き取られた場合にその軸受部に係合してその軸受部を上記第２の位置に留める係合部を有するものであることを特徴とする。
【００１２】
本発明の軸受部材は、ロールの軸を回転自在に支持する軸受部材であって、リンク部が、駆動源からの駆動を受けて回動し、ロールの軸を支持する軸受部を第２の位置に移動させた状態において、上記軸受部から上記ロールの軸が抜き取られた場合にその軸受部に係合してその軸受部を上記第２の位置に留めるものである。このため、定期点検やメンテナンス等において、モノクロモードにある場合であってもロールを交換したり一旦取り外して再び装着するという作業を容易に行なうことができる。
【００１３】
ここで、本発明の軸受部材における上記係合部は、上記軸受部に上記ロールの軸が支持されている状態においてはその軸受部から離れた状態にあるものであることが好ましい。
【００１４】
このようにすると、軸受部にロールの軸を確実に支持することができる。
【００１５】
また、上記軸受部は、バネ付勢された方向の先端部分に開口を有し、上記リンク部は上記軸受部に支持されたロールの軸をその開口側から押すものであることも好ましい態様である。
【００１６】
このようにすると、リンク部でロールの軸を押すにあたり、簡単な構成ですむ。
【００１７】
さらに、上記リンク部は、上記軸受部に支持されたロールの軸を覆うように広がる異物進入防止部を有するものであることも好ましい。
【００１８】
このようにすると、軸受部に異物が進入しないため、不意なトルクアップによりロールが一時的に回転しないというようなことが防止されて良好な画質を得ることができる。
【発明の効果】
【００１９】
本発明の画像形成装置によれば、定期点検やメンテナンス等において転写ロールを交換したり一旦取り外して再び装着するという作業を容易に行なうことができる。また、本発明の軸受部材によれば、定期点検やメンテナンス等においてロールを交換したり一旦取り外して再び装着するという作業を容易に行なうことができる。
【発明を実施するための最良の形態】
【００２０】
以下、図面を参照して本発明の実施の形態について説明する。
【００２１】
図１は、本発明の第１，第２の画像形成装置双方の一実施形態の概略構成を示す図である。
【００２２】
図１に示す画像形成装置１には、それぞれＹ（イエロ）、Ｍ（マゼンタ）、Ｃ（サイアン）、Ｋ（ブラック）色のトナー像が形成される感光体１１Ｙ，１１Ｍ，１１Ｃ，１１Ｋと、それぞれＹ、Ｍ、Ｃ、Ｋ色のトナーを収容した現像器１２Ｙ，１２Ｍ，１２Ｃ，１２Ｋと、感光体１１Ｙ，１１Ｍ，１１Ｃ，１１Ｋに接触しながら矢印Ａ方向に移動する無端状の中間転写ベルト２０とが備えられている。
【００２３】
また、この画像形成装置１には、感光体１１Ｙ，１１Ｍ，１１Ｃ，１１Ｋそれぞれに対向して中間転写ベルト２０の内側に配備され対応する感光体１１Ｙ，１１Ｍ，１１Ｃ，１１Ｋ上のトナー像を中間転写ベルト２０上に転写する１次転写ロール２７Ｙ，２７Ｍ，２７Ｃ，２７Ｋ（本発明にいう転写ロールの一例に相当）が備えられている。
【００２４】
さらに、画像形成装置１には、駆動ロール２２と、バックアップロール２４と、テンションロール２５と、従動ロール２６とが備えられている。また、この画像形成装置１には、中間転写ベルト２０を挟んでバックアップロール２４に対向し、中間転写ベルト２０上のトナー像を用紙Ｐに転写する２次転写ロール２８と、その用紙Ｐ上に転写されたトナー像を定着させるための加熱ロール２９ａ，加圧ロール２９ｂからなる定着器２９が備えられている。
【００２５】
この画像形成装置１は、感光体１１Ｙ，１１Ｍ，１１Ｃ，１１Ｋを用いてカラー画像を形成するカラーモードと、感光体１１Ｙ，１１Ｍ，１１Ｃ，１１Ｋのうち黒色トナーに対応した感光体１１Ｋ（本発明にいう第１感光体の一例に相当）のみを用いてモノクロ画像を形成するモノクロモードとを有する。
【００２６】
この画像形成装置１にはスキャナ３０も備えられており、このスキャナ３０で読み取られた原稿を表わす画像情報は露光装置３１に送られる。露光装置３１は、この画像情報に対応したレーザー光を感光体１１Ｙ，１１Ｍ，１１Ｃ，１１Ｋに照射し、これにより感光体１１Ｙ，１１Ｍ，１１Ｃ，１１Ｋの表面に静電潜像が形成され、この静電潜像が現像器１２Ｙ，１２Ｍ，１２Ｃ，１２Ｋによって現像されて、感光体１１Ｙ，１１Ｍ，１１Ｃ，１１Ｋの表面にはトナー像からなる可視像が形成される。こうして形成された各トナー像は、所定の転写バイアス電圧が印加された１次転写ロール２７Ｙ，２７Ｍ，２７Ｃ，２７Ｋにより中間転写ベルト２０の表面に順次に１次転写される。
【００２７】
中間転写ベルト２０の表面に順次に転写された多重の転写トナー像は、バックアップロール２４および２次転写ロール２８により一括して２次転写される。この２次転写では、用紙トレイ３２（もしくは用紙トレイ３３）に収容された用紙Ｐが搬送ロール３２ａ（もしくは搬送ロール３３ａ）で搬送されてレジロール３４によるタイミングでバックアップロール２４，２次転写ロール２８からなる転写領域に送り込まれることにより、その用紙Ｐ上に一括転写される。用紙Ｐ上に転写されたトナー像は、定着器２９によって加熱および加圧されて用紙Ｐ上に定着される。このようにして、一連の画像形成サイクルが終了する。
【００２８】
上述したように、この画像形成装置１は、カラーモードと、モノクロモードとを有する。この画像形成装置１において、モノクロ画像を形成する場合、画像形成に関与していない、黒色トナーに対応した感光体１１Ｋを除く残りの感光体１１Ｙ，１１Ｍ，１１Ｃが、１次転写ロール２７Ｙ，２７Ｍ，２７Ｃからの押圧を受けて中間転写ベルト２０に接触した状態のままであると、それら感光体１１Ｙ，１１Ｍ，１１Ｃの磨耗が大きいため、モノクロモードにおいては、黒色トナーに対応する１次転写ロール２７Ｋを除く残りの１次転写ロール２７Ｙ，２７Ｍ，２７Ｃを、中間転写ベルト２０に対して離間させるということが行なわれる。
【００２９】
図２は、１次転写ロールを、中間転写ベルトに対して離間させる様子を示す図である。
【００３０】
図２には、図１に示す感光体１１Ｙ，１１Ｍおよびそれら感光体１１Ｙ，１１Ｍに対応して中間転写ベルト２０の内側に配備された１次転写ロール２７Ｙ，２７Ｍが示されている。尚、感光体１１Ｙの周囲には、感光体１１Ｙの表面を所定の電位に帯電する帯電器１０Ｙと、図１に示す露光装置３１からのレーザー光ＲＯＳが照射されて静電潜像が形成された感光体１１Ｙの表面にトナー像からなる可視像を形成する前述した現像器１２Ｙと、中間転写ベルト２０の表面に転写されて感光体１１Ｙの表面に残留した残留トナーを除去するクリーニング部材１３Ｙとが備えられている。尚、図示省略するが、残りの感光体１１Ｍ，１１Ｃ，１１Ｋの周囲にも、図２に示す帯電器１０Ｙ，現像器１２Ｙ，クリーニング部材１３Ｙと同様の帯電器，現像器，クリーニング部材が備えられている。
【００３１】
モノクロモードにおいては、黒色トナーに対応する１次転写ロール２７Ｋを除く残りの１次転写ロール２７Ｙ，２７Ｍ，２７Ｃ（図２には、１次転写ロール２７Ｙ，２７Ｍのみ示す）を、中間転写ベルト２０に対して矢印Ｂ方向に離間させるということが行なわれる。
【００３２】
図３は、図２に示す１次転写ロールを接離自在に支持する軸受部材の分解斜視図を示す図である。
【００３３】
図３には、軸２７Ｙａを有する１次転写ロール２７Ｙと、この１次転写ロール２７Ｙを接離自在に支持する本発明の軸受部材の第１実施形態である軸受部材４０とが示されている。軸受部材４０には、ホルダ４１と、そのホルダ４１にカラーモードの位置Ｐ１（本発明にいう第１の位置に相当）とモノクロモードの位置Ｐ２（本発明にいう第２の位置に相当）との間でスライド自在に支持するとともにカラーモードの位置Ｐ１に向けてバネ部材４２でバネ付勢された軸受部４３が備えられている。この軸受部４３には、受け部４３ａが設けられている。尚、ホルダ４１の上部を覆うカバーは図示省略する。
【００３４】
また、軸受部材４０には、ホルダ４１に回動自在に支持ピン４５で支持され後述するモータからの駆動を受けて回動し、軸受部４３に支持された１次転写ロール２７Ｙの軸２７Ｙａを、バネ付勢に抗して押すことにより軸受部４３をモノクロモードの位置Ｐ２に移動させるリンク部４４が備えられている。このリンク部４４は、モータからの駆動を受けて時計方向に回動し軸受部４３をモノクロモードの位置Ｐ２に移動させた状態において、軸受部４３から１次転写ロール２７Ｙの軸２７Ｙａが抜き取られた場合に、軸受部４３の受け部４３ａに係合して軸受部４３をモノクロモードの位置Ｐ２に留める係合部４４ａを有する。
【００３５】
また、軸受部４３は、バネ付勢された方向の先端部分に開口４３ｂを有し、リンク部４４は、軸受部４３に支持された１次転写ロール２７Ｙの軸２７Ｙａを開口４３ｂ側から押すものである。
【００３６】
図４は、図３に示す軸受部材の、カラーモードの位置にある状態とモノクロモードの位置にある状態とを示す図である。
【００３７】
図４（ａ）には、軸受部材４０の、カラーモードの位置にある状態が示されている。１次転写ロール２７Ｙの軸２７Ｙａは軸受部４３に支持されている。この状態では、１次転写ロール２７Ｙの軸２７Ｙａの上部は、図示しないカバーに当接しており、このため軸２７Ｙａにより軸受部４３が下方に押されることとなり、リンク部４４の係合部４４ａは、軸受部４３の受け部４３ａから所定の寸法αだけ離れた状態にある。このような寸法αを確保することにより、軸受部４３に１次転写ロール２７Ｙの軸２７Ｙａを確実に支持することができる。
【００３８】
ここで、図４（ｂ）に示すように、リンク部４４がモータからの駆動を受けて矢印Ａ方向に回動する。すると、リンク部４４が、軸受部４３に支持された１次転写ロール２７Ｙの軸２７Ｙａを、バネ付勢に抗して押すため、軸受部４３はモノクロモードの位置に移動し、最終的にリンク部４４の係合部４４ａが軸受部４３の受け部４３ａに係合することで、この図４（ｂ）に示す状態に留まる。
【００３９】
このような状態において、図４（ｃ）に示すように、軸受部４３から１次転写ロール２７Ｙの軸２７Ｙａが抜き取られた場合であっても、リンク部４４の係合部４４ａが軸受部４３の受け部４３ａに係合しているため、リンク部４４がさらに下方に移動して軸受部４３の、軸２７Ｙａの部分を覆うこともなく、軸受部４３はモノクロモードの位置Ｐ２に留まることとなる。従って、軸受部４３とリンク部４４との間に、１次転写ロール２７Ｙの軸２７Ｙａが挿入できる程度の隙間を確保することができ、定期点検やメンテナンス等において、モノクロモードにある場合であっても転写ロール２７Ｙを交換したり一旦取り外して再び装着するという作業を容易に行なうことができる。
【００４０】
図５は、比較例としての軸受部材の、カラーモードの位置にある状態とモノクロモードの位置にある状態とを示す図である。尚、図４に示す構成要素と同じ構成要素には同一の符号を付して説明する。
【００４１】
図５（ａ）には、比較例としての軸受部材１４０の、カラーモードの位置にある状態が示されている。１次転写ロール２７Ｙの軸２７Ｙａは、軸受部材１４０を構成する軸受部１４３に支持されている。ここで、図５（ｂ）に示すように、リンク部１４４が矢印Ａ方向に回動する。すると、リンク部１４４が、軸受部１４３に支持された１次転写ロール２７Ｙの軸２７Ｙａを、バネ付勢に抗して力Ｂで押すため、軸受部１４３はモノクロモードの位置に移動する。
【００４２】
このような状態において、図５（ｃ）に示すように、軸受部１４３から１次転写ロール２７Ｙの軸２７Ｙａが抜き取られる。すると、リンク部１４４が、図５（ｂ）に示す位置から、軸受部４３の、軸２７Ｙａを受け入れる部分が覆われる位置にまで移動する。このため、定期点検やメンテナンス等において、１次転写ロール２７Ｙを交換したり一旦取り外して再び装着するという作業は困難となる。
【００４３】
図６は、軸受部材のホルダを駆動する駆動部を上からみた斜視図である。
【００４４】
図６には、１次転写ロール２７Ｙ，２７Ｍ，２７Ｃ，２７Ｋを接離自在に支持する軸受部材４０，５０，６０，７０が示されている。軸受部材４０，５０，６０，７０は、リンク部４４，５４，６４，７４を有する。
【００４５】
また、図６には、駆動源としてのモータ８１と、モータ８１からの駆動力を伝達するギア列８２と、ギア列８２からの駆動力を受けて回転するシャフト８３と、シャフト８３に軸支されたカム８４と、カム８４の回転により矢印Ａ，Ｂ方向にスライドするスライダ８５と、ギア列８２を覆うカバー８６とを備えた駆動部８０が示されている。このカバー８６を備えると、駆動部８０のギア等により発生する摩耗粉が、１次転写ロール２７Ｙ，２７Ｍ，２７Ｃ，２７Ｋに付着するということが防止される。また、機内に飛散しているトナーが駆動部８０内に入り込まないという効果を有する。
【００４６】
図７は、図６に示す駆動部を構成するモータ等の構成部材の斜視図である。
【００４７】
図７に示すモータ８１の回転軸は、モータ８１の筐体の両側から突出した突出部を有する。図７には、一方の突出部８１ａが示されている。モータ８１の他方の突出部には、ギア列８２を構成するギア８２ａが設けられている。モータ８１からの駆動力は、このギア８２ａに伝達され、さらにギア８２ｂ，８２ｃを介してシャフト８３に設けられたギア８３ａに伝達され、これによりシャフト８３の端部に取り付けられたカム８４が回転する。このカム８４には、図６に示すスライダ８５を矢印Ａ方向や矢印Ｂ方向に移動するための部材８４ａが設けられている。
【００４８】
図６に示すスライダ８５には、軸受部材４０，５０，６０が有するリンク部４４，５４，６４の先端部分が挿通する穴部８５Ｙ，８５Ｍ，８５Ｃが設けられている。ここで、スライダ８５が矢印Ａ方向に移動すると、リンク部４４，５４，６４の先端部分も矢印方向Ａに押されてモノクロモードになり、黒トナー用の１次転写ロール２７Ｋを除く３つの１次転写ロール２７Ｙ，２７Ｍ，２７Ｃが図６の下側に移動して、中間転写ベルト２０から離間する。一方、スライダ８５が矢印Ｂ方向に移動すると、リンク部４４，５４，６４も矢印方向Ｂに押されてカラーモードになり、黒トナー用の１次転写ロール２７Ｋと同様に、３つの１次転写ロール２７Ｙ，２７Ｍ，２７Ｃも中間転写ベルト２０に所定の力で接触する。
【００４９】
図８は、軸受部材のホルダを駆動する駆動部を下からみた斜視図である。
【００５０】
図８に示す、モータ８１の筐体から突出した回転軸８１が有する突出部８１ａは、長めに形成されている。尚、本実施形態の画像形成装置１は、図４に示す軸受部材４０および上記突出部８１ａを有するモータ８１を備えたものであるが、本発明の画像形成装置はこれに限られるものではなく、軸受部材４０を備えるもののモータ８１は突出部８１ａを有するものでなくてもよい。また、軸受部材４０に代えて図５に示す軸受部材１４０を備えるとともに、突出部８１ａを有するモータ８１を備えたものであってもよい。この場合は、モータ８１の突出部８１ａを手で矢印Ｃ方向に回転することにより、矢印Ａ方向にあるスライダ８４を矢印Ｂ方向に移動して、モノクロモード状態からカラーモード状態にし、定期点検やメンテナンス等において１次転写ロール２７Ｙ，２７Ｍ，２７Ｃを交換したり一旦取り外して再び装着するという作業を容易に行なうことができる。このようにすることにより、図６に示すカバー８６を取り外してモータ８１を回転するという手間を省くことができる。
【００５１】
図９は、本発明の第２実施形態の軸受部材の分解斜視図である。
【００５２】
尚、図３に示す軸受部材４０の構成要素と同じ構成要素には同一の符号を付して説明する４４ａ。
【００５３】
図９に示す軸受部材９０は、図３に示す軸受部材４０と比較し、係合部９４ａを有するリンク９４が、軸受部４３に支持された１次転写ロールの軸を覆うように広がる異物進入防止部９４ａを有する。リンク９４は、このような異物進入防止部９４ａを有するため、軸受部４３の受け部４３ａに異物が進入することなく、従って不意なトルクアップにより１次転写ロールが一時的に回転しないというようなことが防止されて良好な画質を得ることができる。また、異物の進入を防止するために別部材を備えた場合と比較し、コストを削減することができる。
【００５４】
図１０は、図９に示す軸受部材の、カラーモードの位置にある状態とモノクロモードの位置にある状態とを示す図である。
【００５５】
図１０（ａ）には、軸受部材９０の、カラーモードの位置にある状態が示されている。この状態では、１次転写ロール２７Ｙの軸２７Ｙａの上部は、異物進入防止部９４ａに当接しており、このため軸２７Ｙａにより軸受部４３が下方に押されることとなり、リンク部９４の係合部９４ａは、軸受部４３の受け部４３ａから所定の寸法だけ離れた状態にある。このような寸法を確保することにより、軸受部４３に１次転写ロール２７Ｙの軸２７Ｙａを確実に支持することができる。
【００５６】
ここで、図１０（ｂ）に示すように、リンク部９４が矢印Ａ方向に回動する。すると、リンク部９４が、軸受部４３に支持された１次転写ロール２７Ｙの軸２７Ｙａを、バネ付勢に抗して押すため、軸受部４３は矢印Ｂ方向に移動する。このようにして、モノクロモードの位置に移動する。ここで、リンク部９４の係合部９４ａが軸受部４３の受け部４３ａに係合するため、この図１０（ｂ）に示す状態に留まる。
【００５７】
このような状態において、軸受部４３から１次転写ロール２７Ｙの軸２７Ｙａが抜き取られた場合であっても、リンク部９４の係合部９４ａが軸受部４３の受け部４３ａに係合しているため、リンク部９４がさらに下方に移動して軸受部４３の、軸２７Ｙａの部分を覆うこともなく、軸受部４３とリンク部９４との間に、軸２７Ｙａが挿入できる程度の隙間を確保することができ、定期点検やメンテナンス等において、１次転写ロール２７Ｙを交換したり一旦取り外して再び装着するという作業を容易に行なうことができる。
【００５８】
尚、本実施形態の画像形成装置では、Ｙ色トナーに対応した感光体に対応する１次転写ロールを支持する軸受部材の例で説明したが、Ｍ色トナーやＣ色トナーに対応した感光体に対応する１次転写ロールを支持する軸受部材に本発明を適用してもよい。
【００５９】
また、本実施形態の軸受部材では、１次転写ロールの位置を回転自在に支持する軸受部材の例で説明したが、本発明の軸受部材は、ロールの位置を回転自在に支持する軸受部材であればよい。
【図面の簡単な説明】
【００６０】
【図１】本発明の第１，第２の画像形成装置双方の一実施形態の概略構成を示す図である。
【図２】１次転写ロールを、中間転写ベルトに対して離間させる様子を示す図である。
【図３】図２に示す１次転写ロールを接離自在に支持する軸受部材の分解斜視図を示す図である。
【図４】図３に示す軸受部材の、カラーモードの位置にある状態とモノクロモードの位置にある状態とを示す図である。
【図５】比較例としての軸受部材の、カラーモードの位置にある状態とモノクロモードの位置にある状態とを示す図である。
【図６】軸受部材のホルダを駆動する駆動部を上からみた斜視図である。
【図７】図６に示す駆動部を構成するモータ等の構成部材の斜視図である。
【図８】軸受部材のホルダを駆動する駆動部を下からみた斜視図である。
【図９】本発明の第２実施形態の軸受部材の分解斜視図である。
【図１０】図９に示す軸受部材の、カラーモードの位置にある状態とモノクロモードの位置にある状態とを示す図である。
【符号の説明】
【００６１】
１  画像形成装置
１０Ｙ  帯電器
１１Ｙ，１１Ｍ，１１Ｃ，１１Ｋ  感光体
１２Ｙ，１２Ｍ，１２Ｃ，１２Ｋ  現像器
１３Ｙ  クリーニング部材
２０  中間転写ベルト
２２  駆動ロール
２４  バックアップロール
２５  テンションロール
２６  従動ロール
２７Ｙ，２７Ｍ，２７Ｃ，２７Ｋ  １次転写ロール
２７Ｙａ  軸
２８  ２次転写ロール
２９  定着器
２９ａ  加熱ロール
２９ｂ  加圧ロール
３０  スキャナ
３１  露光装置
３２，３３  用紙トレイ
３２ａ，３３ａ  搬送ロール
３４  レジロール
４０，５０，６０，７０，９０  軸受部材
４１  ホルダ
４５  支持ピン
４２  バネ部材
４３  軸受部
４３ａ  受け部
４３ｂ  開口
４４，５４，６４，７４  リンク部
４４ａ  係合部
８０  駆動部
８１  モータ
８１ａ  突出部
８２  ギア列
８２ａ，８２ｂ，８２ｃ，８３ａ  ギア
８３  シャフト
８４  カム
８４ａ  部材
８５  スライダ
８６  カバー
９４ａ  異物進入防止部
【図１】
2006084689.tif 000003
【図２】
2006084689.tif 000004
【図３】
2006084689.tif 000005
【図４】
2006084689.tif 000006
【図５】
2006084689.tif 000007
【図６】
2006084689.tif 000008
【図７】
2006084689.tif 000009
【図８】
2006084689.tif 000010
【図９】
2006084689.tif 000011
【図１０】
2006084689.tif 000012